(57)【要約】【課題】本発明は、ディジタルデータを記憶するメディアの劣化を防ぎ、かつ、取り扱いが容易なデータ保存装置及びデータ保存方法の提供を目的とする。【解決手段】本発明のデータ保存装置は、非接触で書き込み及び読み出しが可能なメディアを格納するメディア格納部と、前記メディア格納部に格納されているメディアから非接触でデータを読み出す読み取り部と、メディアの変質を防ぐことの可能な不活性ガスを密封し、当該不活性ガス中に前記メディア格納部及び前記読み取り部を保持する筐体と、を備える。【選択図】図１
2014059929.tif 000002
【特許請求の範囲】
【請求項１】
非接触で書き込み及び読み出しが可能なメディアを格納するメディア格納部と、
前記メディア格納部に格納されているメディアから非接触でデータを読み出す読み取り部と、
メディアの変質を防ぐことの可能な不活性ガスを密封し、当該不活性ガス中に前記メディア格納部及び前記読み取り部を保持する筐体と、
を備えるデータ保存装置。
【請求項２】
メディアの変質を防ぐことの可能な不活性ガスの充填された筐体内に、非接触で書き込み及び読み出しが可能なメディア及び当該メディアの読み取り部を配置し、筐体外からメディアの読み取り部を操作することによって筐体内に配置されたメディアに記録されたデータを読み出し可能な状態でメディアにデータを保存するデータ保存方法。
【発明の詳細な説明】
【技術分野】
【０００１】
本発明は、超長期データ保存を実現するデータ保存装置及び方法に関する。
【背景技術】
【０００２】
寒冷の地に膨大な数のハードディスクを集めて運用するデータセンターが幾つも建設されている。寒冷の地が選ばれている理由は膨大な数のハードディスクを安定に動作させるために必要な冷却システムの消費電力を外部冷気の利用で減らすためである。
【０００３】
しかしハードディスクは基本的に消耗品であり、こうした寒冷の地に作られたデータセンターが移替えをしないで済む事はない。従ってこうした施設はその主たる機材であるハードディスクの移替えの膨大な費用を永続的に負担し続けなければならず、これはフィルムや紙による記録の保存とは大きな違いである。こうしたデータセンターを磁気テープやフラッシュメモリを使うものにしても移替えに費用が発生することに変わりはない。
【先行技術文献】
【特許文献】
【０００４】
【特許文献１】特開２０１２−２２７３２号公報
【非特許文献】
【０００５】
【非特許文献１】Ｄｉｓｃ  Ｓｔａｋｋａ（ｈｔｔｐ：／／ｗｗｗ．ｉｍａｔｉｏｎ．ｃｏ．ｊｐ／ｐｒｏｄｕｃｔｓ／ｐｃ＿ｈａｒｄ／ｄｉｓｃ＿ｓｔａｋｋａ／
【発明の概要】
【発明が解決しようとする課題】
【０００６】
あらゆる情報がディジタル化されてきている現在において、ディジタルデータの２０年以上の超長期保存に関して決定的な方法が存在しない。存在するのは記録メディアの寿命が尽きることを前提に、ある程度の年月で定期的に記録メディアを交換する移替え（ｍｉｇｒａｔｉｏｎ）を前提にしたものである。この移替えはハードディスクが３〜５年、磁気テープが１０年程度、フラッシュメモリがアクセス制限をかけて１０〜１５年、ＣＤ／ＤＶＤ／ＢＲ−Ｄｉｓｃが約２０年毎に必要とされている。
【０００７】
こうした数値はフィルムや紙に記録されたものに比較すれば非常に短く、特に文化的な資料のディジタル化が進んでいる現在において、ディジタルブラックホール問題として大きな問題となっている。この問題は確かに記録メディアを交換する移替えを行なえば超長期のデータ保存が可能であるが、それには永続的周期的にかなり大きな費用と手間と労力がかかるために生じる問題である。
【０００８】
ＣＤ／ＤＶＤ／ＢＲ−Ｄｉｓｃの超長寿命化を実現する方法として遮光された環境下の真空保存がある（例えば、特許文献１及び非特許文献１参照。）。しかし、この方法は読み書きの際には封止を解除するため、メディアが劣化する問題があった。また、真空封止の容器にかかる圧力に耐えるために、容器が重くかつ大きくなってしまい、取り扱いが容易ではなくなる問題があった。
【０００９】
そこで、本発明は、ディジタルデータを記憶するメディアの劣化を防ぎ、かつ、取り扱いが容易なデータ保存装置及びデータ保存方法の提供を目的とする。
【課題を解決するための手段】
【００１０】
上記目的を達成するために、本発明はこの問題の解決にＣＤ／ＤＶＤ／ＢＲ−Ｄｉｓｃとこれらのメディアジュークボックス（オートチェンジャー）装置付き読み取り装置を乾いた純窒素封入された環境下に置き、超長期寿命とアクセスの自動化を実現するものである。
【００１１】
本発明のデータ保存装置は、非接触で書き込み及び読み出しが可能なメディアを格納するメディア格納部と、前記メディア格納部に格納されているメディアから非接触でデータを読み出す読み取り部と、メディアの変質を防ぐことの可能な不活性ガスを密封し、当該不活性ガス中に前記メディア格納部及び前記読み取り部を保持する筐体と、を備える。
【００１２】
本発明のデータ保存装置は、非接触で書き込み及び読み出しが可能なメディアを格納するメディア格納部と、前記メディア格納部に格納されているメディアから非接触でデータを読み出す読み取り部と、メディアの変質を防ぐことの可能な不活性ガスを密封し、当該不活性ガス中に前記メディア格納部及び前記読み取り部を保持する筐体と、を備える。
【発明の効果】
【００１３】
本発明によれば、メディアの変質を防ぐことの可能な不活性ガス雰囲気内でメディアを格納するため、真空封止の容器にかかる圧力に耐える筺体を用いることなくメディアの劣化を防ぐことができる。また、非接触で書き込み及び読み出しが可能なメディアを用いているため、メディア及びデータ取り出し部の磨耗及び損傷を防ぐことができる。また、メディアを筺体から取り出すことなくデータを読み出すことができるため、データのアクセスが容易である。したがって、本発明によれば、メディアの超長期寿命とアクセスの自動化を実現することができる。
【図面の簡単な説明】
【００１４】
【図１】本実施形態に係るデータ保存装置の一例を示す。
【発明を実施するための形態】
【００１５】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１６】
図１に、本実施形態に係るデータ保存装置の一例を示す。本実施形態に係るデータ保存装置は、メディア格納部１１と、読み取り部１２と、筺体１３と、信号ケーブル１４と、を備える。
【００１７】
筺体１３は、気体充填部１７からの気体が充填され、筺体１３の外気が流入しないように密閉されている。この筺体１３内に、メディア格納部１１及び読み取り部１２が格納される。筺体１３内に充填する気体は、メディアの変質を防ぐことの可能な不活性ガスである。これにより、水分や酸素などのメディアの劣化の原因を排除することができる。また筺体１３内の気体の圧力は大気圧と略等しいことが好ましく、筺体１３内への気体の供給量をバルブ１６によって調節する。筺体１３は遮光性を有することが好ましく、これにより光によるメディアの劣化を防ぐことができる。
【００１８】
メディア格納部１１は、非接触で書き込み及び読み出しが可能なメディアを格納する。そのようなメディアとしては、例えば、ＣＤ、ＤＶＤ及びブルーレイディスクがある。
【００１９】
読み取り部１２は、メディア格納部１２に格納されているメディアから、非接触でデータを読み出す。データは信号ケーブル１４を介して筺体１３の外部に伝達される。読み取り部１２は、メディア格納部１２に格納されているメディアにデータを記録可能であってもよい。
【００２０】
本実施形態に係るデータ保存方法は、本実施形態に係るデータ保存装置を用い、メディアの変質を防ぐことの可能な不活性ガスの充填された筐体１３内に、非接触で書き込み及び読み出しが可能なメディア及び当該メディアの読み取り部１２を配置し、筐体１３外からメディアの読み取り部１２を操作することによって、筐体１３内に配置されたメディアに記録されたデータを読み出す。
【００２１】
フィルムや紙による記録の保存と同じように永続的な費用の発生を抑えた形で実現するには移替えの必要のない寿命の長い記録メディアを使えば解決出来る。ＣＤ／ＤＶＤ／ＢＲ−Ｄｉｓｃは、円盤基盤のボリカーポネイトの加水分解による白濁化、記録反射層の水分による透明化や記録面の色素の変化により劣化する。本発明は、これらの原因となる水蒸気と酸素と紫外線が存在しない純窒素封入された遮光された環境下にＣＤ／ＤＶＤ／ＢＲ−Ｄｉｓｃとオートチェンジャー付きの読み取り部１２と一緒に置き、併せてメディアへのアクセスの自動化を実現するものである。この劣化要素のない環境下でＣＤ／ＤＶＤ／ＢＲ−Ｄｉｓｃの寿命は普通の大気中に比較してかなり伸びることを利用している。
【００２２】
ＣＤ／ＤＶＤ／ＢＲ−Ｄｉｓｃの超長寿命化を実現する方法として遮光された環境下の真空保存もあるが（例えば、特許文献１参照。）、この方法は１平方ｃｍあたり約１ｋｇの大きな大気圧に耐える容器類が必要となる。これをＣＤ／ＤＶＤ／ＢＲ−Ｄｉｓｃのオートチェンジャー付き読み取り装置と一緒に置く場合に、相当に頑丈な気密構造物が必要となるが、本発明のように大気圧と同じ純窒素封入された遮光された環境下にすれば、密封されただけの簡易な構造物で済む特長を持つ。
【００２３】
また、窒素の代わりに、不活性ガスであるヘリウム、アルゴン等も使える。またその保守も高圧にさらされる真空よりもはるかに容易である。具体的に言えばＤｉｓｃ  Ｓｔａｋｋａ（ｈｔｔｐ：／／ｗｗｗ．ｉｍａｔｉｏｎ．ｃｏ．ｊｐ／ｐｒｏｄｕｃｔｓ／ｐｃ＿ｈａｒｄ／ｄｉｓｃ＿ｓｔａｋｋａ／）のような製品（ただしこの製品は読み取り装置はない）を気密性のある筐体に入れて大気圧と同じ純窒素封入することである。直接の外気を遮断しているクリーンルームに似た構成を考えればよい。ここで信号ケーブル１４とオートチェンジャーの電源供給用のケーブル（不図示）は純窒素の密封状態を阻害しない形を必要とするが、これは筐体１３においてこれらのケーブルの通過する穴をパテ等で埋める事で簡単に実現出来る。
【００２４】
こうして実現される本実施形態に係るデータ保存装置は、ハードディスクによるものと比較すれば、アクセス速度で劣るが、ハードディスクと言う消耗品を使わないために維持コストとクラッシュの可能性がほとんどないことから安定性ではるかに優れている。接触読み取りをするために消耗品である磁気テープを用いた同様のファイルサーバーと比較しても維持コストと寿命の点で優れたシステムになる。フラッシュメモリを用いた同様のファイルサーバーと比較すれば、寿命と創設コストと維持コストの点で優れたシステムになる。
【産業上の利用可能性】
【００２５】
主な用途として超長期保存が要求されるディジタル文化的資産が対象になる。具体的に言えば図書館、美術館、博物館、資料館等のディジタルデータがこれに相当する。これらに加えて電子カルテ（ディジタル化された手書きカルテを含む）、ディジカメやディジタルビデオで作られる家族や組織の記録を対象としたディジタルアーカイブも含まれる。
【符号の説明】
【００２６】
１１：メディア格納部
１２：読み取り部
１３：筐体
１４：信号ケーブル
１６：バルブ
１７：気体充填部
【図１】
2014059929.tif 000003